(57)【要約】【課題】  袋状のフレックスコンテナには胴回りの大きさに何種類かのサイズがあるとともに、その断面形状にも丸や四角の形状のものが存在する。このように形状とサイズの異なった多くの種類のフレックスコンテナに共用でき、フレックスコンテナに充填物を投入し易いように開口した形状で支持するフレックスコンテナスタンドが利用者から要望されていた。【解決手段】  フレックスコンテナを開口した形状で支持するための複数の支柱と台枠との接合部に弾性体を挟んだ形で釘鋲で接合締結し、複数の支柱が適宜な復元力を持ちつつ揺動可能な状態になし、何種類かの形状とサイズの異なったフレックスコンテナを開口支持することが可能な形状と構造。【選択図】図２
2012035904.tif 000002
【特許請求の範囲】
【請求項１】
胴回りの大きさに何種類かのサイズやその断面形状においても差異のあるフレックスコンテナを開口した形状で共通に支持するため、複数の支柱と台枠との接合部に弾性体を挟んだ形で支柱と弾性体と台枠を貫通する釘鋲で接合締結し、複数の支柱が適宜な復元力を持ちつつ揺動自在な可撓状態になすこと。
【請求項２】
［請求項１］おいて支柱の下端締結部に、締結後の弾性体の高さより適宜に短い環状状の当接部を設けたことを特徴とするフレックスコンテナ支持機構。
【発明の詳細な説明】
【技術分野】
【０００１】  本発明は袋状のフレックスコンテナに充填物を投入し易いように開口した形状で支持するフレックスコンテナスタンドに関する技術。
【背景技術】
【０００２】  袋状のフレックスコンテナには胴回りの大きさに何種類かのサイズがあるとともに、その断面形状にも丸や四角の形状のものが存在する。【０００３】  現状では何種類かのサイズと丸や四角の断面形状の違いに対応できるフレックスコンテナの支持具は存在していない。
【発明の開示】
【発明が解決しようとする課題】
【０００４】  従来のような台枠にフレックスコンテナの支持支柱を固着して設けたた場合、形状とサイズの異なったフレックウコンテナの種類にあわせて個々に用意する必要があった。【０００５】  このように形状とサイズの異なった多くの種類のフレックスコンテナに共用でき、フレックスコンテナに充填物を投入し易いように開口した形状で支持するフレックスコンテナスタンドが利用者から要望されていた。
【課題を解決するための手段】
【０００６】  袋状のフレックスコンテナには胴回りの大きさに何種類かのサイズがあるとともに、その断面形状にも丸や四角の形状のものが存在するので、このように形状とサイズの異なった多くの種類のフレックスコンテナに共用できる構造のフレックスコンテナスタンドを創造すること。【０００７】  胴回りの大きさに何種類かのサイズやその断面形状においても差異のあるフレックスコンテナを開口した形状で支持するための複数の支柱と台枠との接合部に弾性体を挟んだ形で釘鋲で接合締結し、複数の支柱が適宜な復元力を持ちつつ揺動自在な可撓状態になすこと。【０００８】  複数の支柱が適宜な復元力を持ちつつ揺動可能な可撓状態を現出することによって、何種類かの形状とサイズの異なったフレックスコンテナを開口状態に支持することが可能な構造を得ること。
【発明の効果】
【０００９】  フレックスコンテナを開口した形状で支持するための複数の支柱と支持台枠との接合部に弾性体を挟んだ形でそれぞれの支柱を釘鋲で接合締結し、複数の支柱が適宜な復元力を持ちつつ揺動自在な可撓状態になすことによる効果には、複数の種類とサイズの異なるフレックスコンテナに対して使用可能なこと、および複数の支柱が適宜な復元力を持ちつつ揺動自在な可撓状態有することにより他の外力による変形や、破損を回避できる効果が得られる。【００１０】  該支柱の平面的配置位置をサイズの大きいフレックスコンテナ似合わせて、複数の支柱を垂直な状態になるよう位置せしめることにより、適宜な復元力を持ちつつ揺動自在な可撓状態を保有させることにより、該支柱を中心側に傾倒させつつフレックスコンテナの上方耳部を支柱の先端部に折り返して係合することによって容易にフレックスコンテナの設置が可能で、支柱が傾倒することで大きいサイズから小さいサイズのフレックスコンテナに対して共用することが可能である。【００１１】  それぞれの支柱の下部には支柱に揺動限界を規制するための当接部を環状に設けて、該当接部の一部下端が下方の台枠上面に当接することによって支柱の揺動限界を規制する。
この規制量は対象となる小さいサイズのフレックスコンテナに合わせて決定することで大小複数のフレックスコンテナに対して利用できる要点となる。【００１２】  それぞれの支柱が全方位へ揺動変位するので、収容物をフレックスコンテナに詰める段階で、詰め込みに用いるクレーンや作業重機および容器の一部がフレックスコンテナや支柱に当接した場合においても、その作用力を受けた支柱が撓むことで当該部分の変形や破損を最小限に軽減できる。【００１３】  内容物を収容した満杯のフレックスコンテナの耳部を各支柱の上端部から外して、フレックスコンテナの吊手でクレーンや作業重機で吊上げるときは、夫々の支柱が弾性体の作用効果により自動的に垂直に成るとともに、場合によっては支柱フレックスコンテナの周囲外方側に傾倒することにより更に吊上げを容易に行える。【００１４】  それぞれの支柱上方の適宜な位置にＣ型フックを固着して設ける。Ｃ型フックの上のフック部はフレックスコンテナスタンド全体の吊上げ時にロープ等を掛けて用いる。
下のフックはフレックスコンテナの設置時において、フレックスコンテナに備える吊環等を係合する為のもので必ずしも使用する必要はない。【００１５】  フレックスコンテナの丸や四角の形状に対しては、支柱に可撓状態を保有させたことによりでフレックスコンテナの胴部分の布幅をいっぱいに緊張させて開口することにより、フレックスコンテナの丸や四角の形状に関係なく対応が可能である。
【発明を実施するための最良の形態】
【００１６】  以下本発明の実施の形態として実施例を［図１］、［図２］に基づいて説明する。【００１７】  フレックスコンテナスタンドの構成は台枠１の上面側に複数の支柱２を設ける。この台枠１と各支柱２の間に筒状の弾性体３を挿入し、筒状の弾性体３の中心孔と支柱２の下端部に下部支持面を設け、その中心に加工した締結孔および枠体１の上面部の適宜な位置に加工した締結孔を釘鋲４を用いて貫通締結する構造が要点である。【００１８】  各支柱２において、釘鋲４の上部は支柱２の内部に存在することになるので、当該釘鋲４の頭部の位置きめと、その廻動防止をかねて維持金具５を支柱２の下端部の内側に固着して設ける。【００１９】  各支柱２の下端部下部支持面に支柱２の傾倒量を規制するための当接部９を設け、等該部分に存在する弾性体３が、フレックスコンテナ１０設置時に加わる外力により変形して支柱２が傾倒する場合、当接部９が台枠１の上面に当接して支柱２の傾倒は停止する。この傾倒量の規制は台枠１と支柱２接合部において外力による想定外の大きな変異が生じた場合、当該部分が変形や破損を生じないようにする為のものである。【００２０】  支柱２の傾倒時の復元力の設定については、フレックスコンテナ１０の開口に必要な張力に見合った値で設定する必要がある。。
弾性体３の中心孔と支柱２の下端部に設けた締結孔および枠体１の上面部に加工した締結孔を貫通締結する釘鋲４の締結力を調整して行う。
この締結力を強くする場合は釘鋲４を締めることで行える。締結力を軽減するには逆に釘鋲４を緩めることにより行う。【００２１】  各支柱２の上方にはＣ型吊フック８を固着して設ける。下部のフック部にはフレックスコンテナ１０に備える吊環等を係合する目的である。
上部のフック部はフレックスコンテナスタンド全体をクレーン等で吊上げる際にロープ等を係合して用いることが目的である。【００２２】  台枠１には複数の自在キャスタ６，７等を固着して設ける。そのうちの一対の自在キャスタ６にロック装置を備えることが有効である。床面の傾斜や振動によるフレックスコンテナスタンド全体の変位移動を防止できる。【００２３】  台枠１には複数の自在キャスタ６，７等を固着して設けたことにより、フレックスコンテナスタンド全体移動をフォークリフトを用いて行うことが可能である。
【図面の簡単な説明】
【００２４】
【図１】本発明の実施例を示す正面図。
【図２】本発明の［図１］中のＡ−Ａ断面図。
【符号の説明】
【００２５】１                台枠
２                支柱
３                弾性体
４                釘鋲
５                維持金具
６                自在キャスター（ロック付）
７                自在キャスター
８                Ｃ型フック
９                当接部
１０              フレックスコンテナ
【図１】
2012035904.tif 000003
【図２】
2012035904.tif 000004